(57)【要約】【課題】硬貨を包装する包装紙から得られる情報量の増加を図ることができる硬貨包装紙を提供する。【解決手段】ＲＦＩＤタグ４０を備える包装紙Ｈを集積硬貨の周面に所定量巻回する包装機構２７と、ＲＦＩＤタグ４０に所定のデータを書き込むＲＦＩＤライター４１とを設けたことを特徴とする。【選択図】図２
2008217564.tif 000002
【特許請求の範囲】
【請求項１】
ＲＦＩＤタグを備える包装紙を集積硬貨の周面に所定量巻回する包装手段と、前記ＲＦＩＤタグに所定のデータを書き込むＲＦＩＤライターとを設けたことを特徴とする硬貨包装機。
【請求項２】
前記データは、少なくとも前記包装紙で包装される前記硬貨の金種、枚数のデータを含むことを特徴とする請求項１に記載の硬貨包装機。
【請求項３】
前記包装紙で包装する前記硬貨の金種を指定する金種指定情報を入力可能な入力手段と、硬貨を鑑別する硬貨鑑別部の鑑別結果に基づき、前記入力手段に入力された前記金種指定情報によって特定された金種の硬貨のみを選択的に集積する硬貨集積部に送る選別手段を備えたことを特徴とする請求項１または２に記載の硬貨包装機。
【請求項４】
前記ＲＦＩＤライターは、前記硬貨を前記包装紙で包装した後に前記ＲＦＩＤタグにデータを記憶させることを特徴とする請求項１〜３のいずれか一項に記載の硬貨包装機。
【請求項５】
前記包装手段および前記ＲＦＩＤライターが、前記ＲＦＩＤライターが発する電波を遮蔽するシールド部材で覆われていることを特徴とする請求項１〜４のいずれか一項に記載の硬貨包装機。
【請求項６】
前記ＲＦＩＤライターは、前記硬貨を前記包装紙で包装するのに先立って前記ＲＦＩＤタグにデータを記憶させることを特徴とする請求項１〜３のいずれか一項に記載の硬貨包装機。
【請求項７】
前記ＲＦＩＤライターおよび前記ＲＦＩＤライターの近傍の前記ＲＦＩＤタグが、前記ＲＦＩＤライターが発する電波を遮蔽するシールド部材で覆われていることを特徴とする請求項１，２，３，６のいずれか一項に記載の硬貨包装機。
【請求項８】
前記ＲＦＩＤタグは、前記包装紙に所定の間隔で設けられていることを特徴とする請求項１〜７のいずれか一項に記載の硬貨包装機。
【請求項９】
前記ＲＦＩＤタグは、前記包装紙に貼付されることを特徴とする請求項１〜７のいずれか一項に記載の硬貨包装機。
【発明の詳細な説明】
【技術分野】
【０００１】
この発明は、所定枚数集積した集積硬貨の周面に包装紙を巻回して包装する硬貨包装機に関するものである。
【背景技術】
【０００２】
従来から、硬貨を包装する硬貨包装機において、作成先などを区別するために、操作入力部のテンキーパネルなどを介して入力されたコード番号をＲＡＭなどの記憶装置に記憶し、当該記憶されたコード番号を包装紙に印刷するものがある（例えば、特許文献１参照）。
【特許文献１】特開２００１−３５４２０４号公報
【発明の開示】
【発明が解決しようとする課題】
【０００３】
しかしながら、上述した硬貨包装機においては、コード番号によって作成先の区別を行うことはできるものの、この印刷されたコード番号から得られる情報量は非常に少なく、包装された硬貨の管理を行うには十分なものではなかった。そのため、包装硬貨から取得可能な情報量の増加が要望されている。
【０００４】
そこで、この発明は、包装硬貨から取得可能な情報量の増加を図ることができる硬貨包装紙を提供するものである。
【課題を解決するための手段】
【０００５】
上記の課題を解決するために、請求項１に記載した発明は、ＲＦＩＤタグ（例えば、実施の形態におけるＲＦＩＤタグ４０）を備える包装紙（例えば、実施の形態における包装紙Ｈ）を集積硬貨の周面に所定量巻回する包装手段（例えば、実施の形態における包装機構２７）と、前記ＲＦＩＤタグに所定のデータを書き込むＲＦＩＤライター（例えば、実施の形態におけるＲＦＩＤライター４１）とを設けたことを特徴とする。
【０００６】
請求項２に記載した発明は、請求項１に記載の発明において、前記データが、少なくとも前記包装紙で包装される前記硬貨の金種、枚数のデータを含むことを特徴とする。
【０００７】
請求項３に記載した発明は、請求項１または２に記載の発明において、前記包装紙で包装する前記硬貨の金種を指定する金種指定情報を入力可能な入力手段（例えば、実施の形態における操作入力部１３）と、硬貨を鑑別する硬貨鑑別部（例えば、実施の形態における鑑別部）の鑑別結果に基づき、前記入力手段に入力された前記金種指定情報によって特定された金種の硬貨のみを選択的に集積する硬貨集積部（例えば、実施の形態における集積機構１８）に送る選別手段（例えば、実施の形態における排除孔）を備えたことを特徴とする。
【０００８】
請求項４に記載した発明は、請求項１〜３のいずれか一項に記載の発明において、前記ＲＦＩＤライターが、前記硬貨を包装紙で包装した後に前記ＲＦＩＤタグにデータを記憶させることを特徴とする。
【０００９】
請求項５に記載した発明は、請求項１〜４のいずれか一項に記載の発明において、前記包装手段および前記ＲＦＩＤライターが、前記ＲＦＩＤライターが発する電波を遮蔽するシールド部材（例えば、実施の形態におけるシールド部材Ｓ）で覆われていることを特徴とする。
【００１０】
請求項６に記載した発明は、請求項１〜３のいずれか一項に記載の発明において、前記ＲＦＩＤライターが、前記硬貨を包装紙で包装するのに先立って前記ＲＦＩＤタグにデータを記憶させることを特徴とする。
【００１１】
請求項７に記載した発明は、請求項１，２，３，６のいずれか一項に記載の発明において、前記ＲＦＩＤライターおよび前記ＲＦＩＤライターの近傍の前記ＲＦＩＤタグが、前記ＲＦＩＤライターが発する電波を遮蔽するシールド部材（例えば、実施の形態におけるシールド部材Ｓ）で覆われていることを特徴とする。
【００１２】
請求項８に記載した発明は、請求項１〜７のいずれか一項に記載の発明において、前記ＲＦＩＤタグは、前記包装紙に所定の間隔で設けられていることを特徴とする。
【００１３】
請求項９に記載した発明は、請求項１〜７のいずれか一項に記載の発明において、前記ＲＦＩＤタグは、前記包装紙に貼付されることを特徴とする。
【発明の効果】
【００１４】
請求項１に記載した発明によれば、硬貨を包装する包装紙に設けられたＲＦＩＤタグに対して、ＲＦＩＤライターで種々のデータを記憶させることができるので、コード番号を包装紙上に印刷する従来の場合と比較して、包装硬貨から取得できるデータの量を増加させることができる効果がある。
【００１５】
請求項２に記載した発明によれば、ＲＦＩＤタグに対して硬貨の金種、枚数等のデータを記憶させることで、例えば、包装された集積硬貨を管理する際に、このデータに基づいて効率の良い管理を行うことができる効果がある。
【００１６】
請求項３に記載した発明によれば、入力手段によって入力された金種指定信号によって特定された金種の硬貨のみを硬貨鑑別部の鑑別結果に基づき選別手段により選択的に硬貨集積部に送ることができるため、所望の集積硬貨を包装紙で包装することができる。
【００１７】
請求項４に記載した発明によれば、集積硬貨に包装紙を巻回した後にＲＦＩＤタグにデータを書き込んでいるため、集積硬貨に包装紙を巻回するのに先立ってＲＦＩＤタグにデータを書き込む場合と比較して、例えば、包装紙を送る通路で何かしらのトラブルがあった場合であっても、ＲＦＩＤタグに書き込むデータがずれるのを防止することができるため、ＲＦＩＤタグに書き込まれたデータの信頼性を向上させることができるとともに、復旧作業が複雑化せずに容易に行えるという効果がある。
【００１８】
請求項５に記載した発明によれば、包装手段およびＲＦＩＤライターがシールド材で覆われていることで、ＲＦＩＤライターから発せられる電波が、データの書き込みを行うべきＲＦＩＤタグにのみ届き、それ以外のＲＦＩＤタグに届かないようにできるため、ＲＦＩＤライターによるデータ書き込みの信頼性を向上させることができる。
【００１９】
請求項６に記載した発明によれば、包装紙を集積硬貨に巻回した後にＲＦＩＤタグにデータを書き込む場合と比較して、ＲＦＩＤライターを包装紙の供給通路近傍などに設置することができるため、ＲＦＩＤタグとＲＦＩＤライターとの間隔を短縮することができ、この結果無線通信の信頼性を向上することができる。
また、供給通路に沿ってＲＦＩＤライターを設ければよいので、例えば、現在ＲＦＩＤライターを備えていない既存の硬貨包装機に対するＲＦＩＤライターの取り付け自由度を向上させる効果がある。
【００２０】
請求項７に記載した発明によれば、ＲＦＩＤライターおよびこのＲＦＩＤライターの近傍のＲＦＩＤタグがシールド材で覆われていることで、ＲＦＩＤライターから発せられる電波が、データの書き込みを行うべきＲＦＩＤタグにのみ届き、それ以外のＲＦＩＤタグに届かないようにできるため、ＲＦＩＤライターによるデータ書き込みの信頼性を向上させることができる。
【００２１】
請求項８に記載した発明によれば、ＲＦＩＤタグが包装紙に所定間隔で設けられているため、データが書き込まれるＲＦＩＤタグとＲＦＩＤライターとの位置関係を常に一定にすることができる。
【００２２】
請求項９に記載した発明によれば、ＲＦＩＤタグが包装紙に貼付されることで、包装紙を作成する段階で予めＲＦＩＤタグを刷り込むなどの必要が無く、包装紙の製作コストを下げることが可能であるとともに、予め所定間隔で設ける場合と比較して、無駄になるＲＦＩＤタグが生じないという効果がある。
【発明を実施するための最良の形態】
【００２３】
次に、図面に基づいてこの発明の実施の形態に係る硬貨包装機を説明する。この硬貨包装機は、バラ硬貨を所定枚数集積させるとともにこのように形成された集積硬貨を、所定量の透明ポリエチレンフィルム等の包装紙Ｈで包装して棒状にするものである。
【００２４】
まず、図１を参照してこの硬貨包装機の外部構成を説明する。この硬貨包装機の上部位置には、包装処理を行うバラ硬貨がオペレータにより投入される投入口１１が設けられている。この投入口１１には該投入口１１を開閉させるカバー１２が設けられており、このカバー１２は手動で開閉されるようになっている。
【００２５】
また、投入口１１の近傍には、包装動作における金種指定情報などの各設定の入力、包装処理の開始・停止の操作入力がオペレータにより入力される操作入力部１３と、硬貨包装機内で硬貨を計数した結果、包装動作や印刷内容等の各種設定時の案内および設定内容等を表示する表示部１４とを兼ね備えたタッチセンサパネル１５が設けられている。
【００２６】
次に、図２を参照して上記硬貨包装機の内部基本構成を説明する。図２において、符号１８で示すものは、開状態の投入口１１を介して一括投入されたバラ硬貨を集積させる集積機構を示している。
【００２７】
この集積機構１８は、開状態の投入口１１（図１参照）を介して一括投入されたバラ硬貨を受け入れる回転ホッパ１９と、該回転ホッパ１９が回転することにより生じる遠心力で一枚ずつ繰り出す硬貨を受け入れて搬送する硬貨通路２０とを有している。
【００２８】
硬貨通路２０は、その上部に硬貨を一枚ずつ移送させる送りベルト２１を有している。硬貨通路２０の途中位置には、図示しない鑑別部が設けられており、硬貨通路２０で搬送される硬貨の真偽および金種等が必要に応じて判別されるようになっている。ここで、硬貨通路２０には図示しない排除孔が設けられており、鑑別部で正貨であると判別されなかった硬貨は、排除孔から落下するようになっている。すなわち、硬貨通路２０は、正貨のみを集積機構１８に搬送する。
【００２９】
集積機構１８は、硬貨通路２０を経由した硬貨を集積させる一対の集積ドラム２３を有している。これら集積ドラム２３は、螺旋状の突起部２４をそれぞれ有しており、相互の突起部２４の高さ位置を一致させた状態で、硬貨通路２０からの硬貨の供給に同期させて、互いに反対方向に間欠的に回転駆動させられるようになっている。
【００３０】
これにより、硬貨通路２０を通じて供給された硬貨が両集積ドラム２３の両突起部２４に乗せられて一段下降させられ、その後に供給された硬貨が先の硬貨の上に積み重ねられる結果、これら集積ドラム２３間に、複数の硬貨が上下方向に積み重ね状態に集積され、集積硬貨が形成されるようになっている。
【００３１】
また、集積機構１８は、これら集積ドラム２３の下方位置に、該集積ドラム２３において所定枚数集積された集積硬貨をその上面に載置させる水平シャッタ２５を有している。そして、該水平シャッタ２５は開放時に、その上面に載置させていた集積硬貨を落下させて、下方の包装機構２７に受け渡すようになっている。 
【００３２】
包装機構２７は、水平シャッタ２５から落下させられた集積硬貨を下から支える昇降可能な支持棒２８と、該支持棒２８の周囲に鉛直方向に沿って配置される３本の平行な包装ローラ２９と、これら包装ローラ２９を回転駆動する包装モータ（図３参照）３０とを有している。包装ローラ２９は、そのうちの一つが残りの二つに対し近接・離間可能とされている。そして、包装ローラ２９は、そのうちの一つが残りの二つに対し離間状態にあるとき、集積機構１８から送られた集積硬貨を受け入れるようになっており、このように集積硬貨を受け入れた状態で前記一つが残りの二つに対し近接することにより、集積硬貨を三つで挟持することになる。そして、この状態で包装ローラ２９を回転駆動し、かつ包装ローラ２９と集積硬貨との間に包装紙Ｈを挟み込むことで、集積硬貨の周面に包装紙Ｈが巻回されるようになっている。また、包装機構２７は、上記のように巻回された包装紙Ｈの集積硬貨よりも上下に突出する両余剰部分を加締める加締爪３１を上下に有している。
【００３３】
包装機構２７の側方には、包装機構２７に包装紙Ｈを供給する包装紙供給装置３３が設けられている。この包装紙供給装置３３は、鉛直軸回りに回転自在に支持された包装紙ロール３４から繰り出された包装紙Ｈを挟持することにより、その回転量に応じた長さだけ包装紙Ｈを包装紙ロール３４から引き出して集積硬貨に向け供給する一対の紙送りローラ３５と、これら紙送りローラ３５を一定速度で回転駆動する紙送りモータ（図３参照）３６と、紙送りモータ３６の駆動で紙送りローラ３５から送り出された包装紙Ｈを包装ローラ２９に向け案内する複数の案内ローラ３７と、包装紙Ｈを切断するカッタ３８とを有している。なお、このカッタ３８は、紙送りローラ３５が停止しかつ包装ローラ２９が回転駆動されている状態において包装紙Ｈに生じる張力で包装紙Ｈを切断するようになっている。
【００３４】
ところで、包装紙Ｈには、その長手方向に沿って所定の等間隔毎にＲＦＩＤタグ４０が埋設されている。そして、上記した３本の包装ローラ２９の近傍には、ＲＦＩＤライター４１が配置されている。これらＲＦＩＤタグ４０とＲＦＩＤライター４１とはいわゆるＲＦＩＤ（Radio Frequency Identification）を構成するもので、前者のＲＦＩＤタグ４０は、図示しないＩＣチップとアンテナとを備えており、このアンテナが所定の電波を受信することで起電力を発生し、この起電力を用いてＩＣチップを駆動するようになっている。そして、ＩＣチップが駆動している間だけアンテナを介して外部との無線による送受信が可能になっており、ＲＦＩＤライター４１からの電波を受信した場合、この受信したデータをＩＣチップに記憶するようになっている。また、例えば、ＲＦＩＤリーダ（図示せず）から電波を受信した場合には、ＩＣチップに記憶されているデータの発信を行うことが可能になっている。ここで、上述したＲＦＩＤタグ４０の所定の等間隔とは、包装紙Ｈを集積硬貨に所定回数巻回した場合に、必ずこの包装紙ＨにＲＦＩＤタグ４０が１つ以上含まれるような間隔を示している。なお、一つの包装硬貨を包装している包装紙Ｈに２つ以上のＲＦＩＤタグ４０が含まれても良い。
【００３５】
一方、後者のＲＦＩＤライター４１は図示しないアンテナを有し、図３に示すＣＰＵ５０に接続されている。そして、このＲＦＩＤライター４１は、ＣＰＵ５０からの制御指令に基づいてＲＦＩＤタグ４０に向けて所定の電波を発信するように構成されている。さらに、このＲＦＩＤライター４１は、ＲＦＩＤタグ４０が所定の電波を受信してそのＩＣチップが駆動状態にあるときに、ＲＦＩＤライター４１からＲＦＩＤタグ４０へ向けて前述した所定の電波を搬送波として所定のデータを送信することができるようになっている。ここで、所定のデータがＲＦＩＤタグ４０で受信されると、ＲＦＩＤタグ４０はＩＣチップに当該所定のデータを保存する。なお、この第１の実施の形態では、書き込み機能のみを有した上記ＲＦＩＤライター４１を用いた一例について説明したが、このＲＦＩＤライター４１を、読み書き可能なＲＦＩＤリーダ・ライターに置き換えて、例えば、ＩＣチップに保存されている所定のデータをこのＲＦＩＤリーダ・ライターで呼び出して、ＲＦＩＤタグ４０に書き込んだデータを検証するようにしても良い（後述する第２の実施の形態も同様）。
【００３６】
ここで、上述した所定のデータとは、例えば、ＲＦＩＤタグ４０が埋設されているのが紙幣ではなく包装硬貨であるという識別データや、鑑別部によって検出された集積硬貨の金種、枚数などのデータを含むデータである。
【００３７】
また、ＲＦＩＤライター４と上述した包装機構２７とが外部に漏れる電波を遮蔽するためのシールド部材Ｓで覆われている。包装機構２７はその稼動範囲が比較的広いため、ＲＦＩＤライター４１とＲＦＩＤタグ４０との距離を縮めるのが難しく、そのため、電波の出力を相対的に大きくしなければならない。しかしながら電波の出力を大きくした場合、他のＲＦＩＤタグ４０へ影響を及ぼす可能性があるため、シールド部材Ｓでデータの書き込みを行う包装機構２７自体を覆っている。なお、シールド部材Ｓは硬貨と包装紙Ｈが供給される部分にシャッタなどの開閉機構や、電波を遮断する金属製のローラなどを備えている。
【００３８】
ＣＰＵ５０は、硬貨包装機における種々の制御指令を行うものであり、上述したＲＦＩＤライター４１の、操作入力部１３、表示部１４、紙送りモータ３６および包装モータ３０等が接続され、さらに、硬貨包装機の制御プログラムや基準データ等を記憶するＲＯＭ５１、および、ＲＦＩＤタグ４０に書き込むための所定のデータを記憶するＲＡＭ５２が接続されている。上記紙送りモータ３６等は、ＣＰＵ５０からの制御指令に基づいて動作するように構成されている。
【００３９】
次に、上記構成を備える硬貨包装機の作用を説明する。
まず、オペレータが投入口１１に金種混合状態のバラ硬貨を投入し、操作入力部１３から包装開始の入力操作を行うと、ＣＰＵ５０は、回転ホッパ１９の駆動制御を開始し、この回転ホッパ１９によって投入口１１に投入されたバラ硬貨を一枚ずつ分離させて順次硬貨通路２０へと繰り出させる。ここで、包装開始の入力操作とは、例えばオペレータが包装を行う金種や枚数などのデータを入力した後に、この入力結果を表示部１４で確認して決定操作を行う一連の操作のことを示しており、ここで入力されたデータが上述したＲＡＭ５２に記憶されることとなる。
【００４０】
そして、ＣＰＵ５０は、硬貨通路２０の途中に設置された鑑別部から、硬貨通路２０に繰り出された硬貨の金種、真偽、汚損等の鑑別結果および計数結果に基づいたデータを受け取り、このデータをＲＡＭ５２に記憶させる。また、ＣＰＵ５０は、硬貨通路２０の送りベルト２１を駆動制御して、操作入力部１３の入力に基づいた金種の正貨のみを集積機構１８の集積ドラム２３へ搬送して所定枚数（例えば、５０枚程度）集積させる。
【００４１】
そして、ＣＰＵ５０は、集積機構１８にて所定枚数の硬貨の集積が完了すると、水平シャッタ２５を開放制御して当該集積硬貨を包装工程を行う包装機構２７の包装ローラ２９の間へと移動させる。その後、ＣＰＵ５０は、３本の包装ローラ２９を制御して集積硬貨を狭持させる。
【００４２】
一方、ＣＰＵ５０は、包装紙供給装置３３の紙送りローラ３５を駆動制御して、包装紙ロール３４から包装紙Ｈを包装機構２７に供給する。
そして、包装紙Ｈを包装ローラ２９と集積紙幣の周面との間に挟み込んだ状態で包装ローラ２９を駆動させることで、集積硬貨に包装紙Ｈを所定回数巻回させ、その後、包装紙Ｈの集積硬貨の上下の余剰部分を加締爪３１によって加締める。
【００４３】
この際、ＣＰＵ５０は、３本の包装ローラ２９の近傍に配置されたＲＦＩＤライター４１によって、包装紙Ｈに埋め込まれているＲＦＩＤタグ４０に向けて所定の電波を送信し、その後、ＲＡＭ５２に記憶されている所定のデータを送信して、この所定のデータをＲＦＩＤタグ４０のＩＣチップに記憶させる。そして、ＣＰＵ５０は、図示しない搬送手段を制御して、上記包装紙ＨのＲＦＩＤタグ４０に所定のデータが書き込まれた包装硬貨を、硬貨包装機の出金口から機体外部に排出させる。
【００４４】
したがって、上述した第１の実施の形態によれば、集積硬貨を包装する包装紙Ｈに埋設されたＲＦＩＤタグ４０のＩＣチップに、ＲＦＩＤライター４１によって所定のデータを記憶させることができるので、例えば、包装紙Ｈ上にコード番号を印刷する従来の場合と比較して、包装紙Ｈから得られるデータ量の増加を図ることができる。
【００４５】
また、ＲＦＩＤタグ４０に対して集積硬貨における金種、枚数等の所定のデータを記憶させることができるため、包装硬貨を管理する際に、これらのデータに基づいて効率の良い管理を行うことができる。
【００４６】
さらに、集積硬貨に包装紙Ｈを巻回した後にＲＦＩＤタグ４０にデータを書き込んでいるため、例えば、包装紙Ｈを送る供給通路で何かしらのトラブルがあった場合であっても、このトラブルからの復旧作業が複雑化せず容易に行えるため、ＲＦＩＤタグ４０に書き込み順がずれるのを防止することができ、この結果、ＲＦＩＤタグ４０に書き込まれたデータの信頼性を向上させることができる。
【００４７】
次に、この発明の第２の実施の形態を図４に基づいて説明する。この第２の実施の形態は、上述した第１の実施の形態のＲＦＩＤライター４１の配置を変更したものであるため、この変更部分のみを説明する。
【００４８】
図４に示すように、硬貨包装機には、紙送りローラ３５による包装紙Ｈの供給経路の途中、すなわち紙送りローラ３５と包装紙ロール３４との間に、ＲＦＩＤタグ４０への書き込みを行うＲＦＩＤライター４１が配置されている。より具体的には、このＲＦＩＤライター４１は、集積硬貨へ巻回する時に表面側となる包装紙Ｈの表面４５側で、且つ、包装紙Ｈの長手方向に沿って所定の一定間隔で埋め込まれたＲＦＩＤタグ４０に対応する高さに配置されている。そして、包装紙をＲＦＩＤライター４１に近接させ、かつ安定的に供給し、ＲＦＩＤライター４１によるデータの書き込み漏れを生じないようにするために、紙送りローラ３５（図２および４参照）は、ＲＦＩＤライター４１に近接配置されている。なお、紙送りローラ３５は、データの書き込み漏れの虞がない場合には、カッタ３８（図２参照）とＲＦＩＤライター４１との間であればいずれの位置に設けてもよい。
【００４９】
したがって、上記第２の実施の形態によれば、包装紙Ｈを集積硬貨に巻回した後にＲＦＩＤタグ４０に所定のデータを書き込む場合と比較して、ＲＦＩＤライター４１を、包装紙Ｈを送り出すための供給通路の近傍に設置することができるため、ＲＦＩＤタグ４０とＲＦＩＤライター４１との距離を短縮して無線通信の信頼性を向上できるとともに、現在ＲＦＩＤライター４１が取り付けられていない硬貨包装機に対して容易に取り付けられるなど配置スペースの点で有利となる。
【００５０】
またＲＦＩＤライター４１とＲＦＩＤタグ４０との距離を縮めることが可能であるので、電波の出力を小さくすることが可能となり、電波出力を小さくすることでＲＦＩＤライター４１とＲＦＩＤタグ４０との周辺にある他のＲＦＩＤタグに影響を及ぼさないようであれば、シールド部材Ｓで覆う必要がないため、装置の小型化を図ることができる。
【００５１】
なお、この発明は上述した第１の実施の形態、第２の実施の形態に限られるものではなく、上記ＲＦＩＤタグ４０に記憶させる所定のデータとしては、オペレータの入力操作による、包装日時、銀行名、硬貨包装機の機番、操作者の氏名等を含むようにしてもよい。また、包装日時については硬貨包装機の中に時計を組み込んでこれを利用するようにしてもよい。
【００５２】
また、上記各実施の形態では、予め包装紙ＨにＲＦＩＤタグ４０を埋め込んで、そのＩＣチップに所定のデータを記憶させる方法について説明したが、ＲＦＩＤタグ４０を包装紙Ｈに貼付して、この貼付されたＲＦＩＤタグ４０に対してＲＦＩＤライター４１で所定のデータを記憶させるようにしても良い。このようにＲＦＩＤタグ４０を包装紙Ｈに貼付する場合には、例えば、自動ラベル貼付装置を設けて包装紙Ｈの側面部分に当該ＲＦＩＤタグ４０を貼り付けるようにすればよい。
【図面の簡単な説明】
【００５３】
【図１】本発明の第１の実施の形態における硬貨包装機の斜視図である。
【図２】本発明の第１の実施の形態における集積機構と包装機構と包装紙供給装置との斜視図である。
【図３】本発明の第１の実施の形態における硬貨包装機のブロック図である。
【図４】本発明の第２の実施の形態におけるＲＦＩＤライター周辺の拡大斜視図である。
【符号の説明】
【００５４】
１３  操作入力部（入力手段）
１８  集積機構（硬貨集積部）
２７  包装機構（包装手段）
４０  ＲＦＩＤタグ
４１  ＲＦＩＤライター
Ｈ  包装紙
Ｓ  シールド部材
【図１】
2008217564.tif 000003
【図２】
2008217564.tif 000004
【図３】
2008217564.tif 000005
【図４】
2008217564.tif 000006